(57)【要約】【解決手段】携帯用の採尿装置は、ユーザの尿を貯蔵容器（２２）へ導くためのレセプタクル（１２）を含む。貯蔵容器に固定されたコネクタ（３０）によって、レセプタクルを着脱可能に容器に結合することができる。【選択図】図１
2004509683.tif 000002
【特許請求の範囲】
【請求項１】
ユーザの尿を集めて貯蔵するための携帯用の採尿装置であって、この装置が、
尿を集めるためのレセプタクルであって、入口と出口とを有してなる本体部分を含み、入口はユーザの尿生殖器の領域を十分に受けられるサイズになっているような上記レセプタクルと、
尿を貯蔵するための貯蔵容器であって、レセプタクルから尿を受けるための入口を有しているような上記貯蔵容器と、
貯蔵容器に取付けられて貯蔵容器の入口を受けると共に、レセプタクルの出口を着脱可能に受けるコネクタであって、レセプタクルを貯蔵容器に着脱可能に結合させて、レセプタクルの出口から貯蔵容器の入口へ尿が流れられるようにする上記コネクタと、
を備えていることを特徴とする携帯用の採尿装置。
【請求項２】
レセプタクルの入口は男性のユーザの尿生殖器の領域を受けられるようなサイズになっていることを特徴とする請求項１に記載の携帯用の採尿装置。
【請求項３】
レセプタクルの入口は女性のユーザの尿生殖器の領域を受けられるようなサイズになっていることを特徴とする請求項１に記載の携帯用の採尿装置。
【請求項４】
貯蔵容器は可撓性のバッグを含んでいることを特徴とする請求項１に記載の携帯用の採尿装置。
【請求項５】
コネクタは貯蔵容器に圧入されていることを特徴とする請求項１に記載の携帯用の採尿装置。
【請求項６】
コネクタは貯蔵容器に溶着されていることを特徴とする請求項１に記載の携帯用の採尿装置。
【請求項７】
コネクタは貯蔵容器に接触するための環状フランジを含んでいることを特徴とする請求項６に記載の携帯用の採尿装置。
【請求項８】
コネクタの遠位端は貯蔵容器の入口に受けられることを特徴とする請求項６に記載の携帯用の採尿装置。
【請求項９】
レセプタクルの出口は少なくともひとつの突起部を含み、コネクタは突起部を摺動式に受入れるサイズであるような少なくともひとつの溝部を含んでいることを特徴とする請求項１に記載の携帯用の採尿装置。
【請求項１０】
レセプタクルをコネクタに固定するためにレセプタクルをコネクタに対して回転させると、突起部が溝部の端部へ移動することを特徴とする請求項９に記載の携帯用の採尿装置。
【請求項１１】
レセプタクルの出口は貯蔵容器の入口に受けられることを特徴とする請求項１に記載の携帯用の採尿装置。
【請求項１２】
レセプタクルを取外した後の貯蔵容器を密封するために、コネクタに受けられるように適合したキャップをさらに含んでいることを特徴とする請求項１に記載の携帯用の採尿装置。
【請求項１３】
キャップは少なくともひとつの突起部を含み、コネクタは突起部を摺動式に受入れるサイズであるような少なくともひとつの溝部を含んでいることを特徴とする請求項１２に記載の携帯用の採尿装置。
【請求項１４】
キャップをコネクタに固定するためにキャップをコネクタに対して回転させると、突起部が溝部の端部へ移動することを特徴とする請求項１３に記載の携帯用の採尿装置。
【請求項１５】
キャップの遠位端は貯蔵容器の入口に受けられることを特徴とする請求項１２に記載の携帯用の採尿装置。
【請求項１６】
コネクタは、第１のブラケット部材と第２のブラケット部材とを有してなるブラケットと、ブラケットによって取囲まれた漏斗とを含み、漏斗は、レセプタクルの出口と係合するための入口部分と、ブラケットの下方へ突出して貯蔵容器の入口に受けられるように適合してなる出口部分とを有していることを特徴とする請求項１に記載の携帯用の採尿装置。
【請求項１７】
第１のブラケット部材は突起部を含み、第２のブラケット部材は突起部を受入れて第１及び第２のブラケット部材を互いに固定するようなサイズになっている開口を含んでいることを特徴とする請求項１６に記載の携帯用の採尿装置。
【請求項１８】
第１及び第２のブラケット部材は一組の内部フランジを含んでいて、これらの間に漏斗の入口部分が受入れられて、漏斗のブラケット部材に対する軸線方向の動きが禁止されていることを特徴とする請求項１６に記載の携帯用の採尿装置。
【請求項１９】
レセプタクルの本体部分はハンドルを含んでいることを特徴とする請求項１に記載の携帯用の採尿装置。
【請求項２０】
貯蔵容器は尿を吸収するための粉末物質を内部に収容していることを特徴とする請求項１に記載の携帯用の採尿装置。
【請求項２１】
ユーザの尿を集めて貯蔵するための携帯用の採尿装置であって、この装置が、
尿を集めるための再使用可能なレセプタクルであって、入口と比較的小さい出口とを有してなる本体部分を含み、入口はユーザの尿生殖器の領域を十分に受けられるサイズになっているような上記レセプタクルと、
尿を貯蔵するための使い捨ての貯蔵容器であって、レセプタクルから尿を受けるための入口を有しているような上記貯蔵容器と、
貯蔵容器の入口を受けると共に、レセプタクルの出口を着脱可能に受けるように取付けられて、レセプタクルの出口から貯蔵容器の入口へ尿が流れられるようにするコネクタであって、レセプタクルを貯蔵容器に着脱可能に結合させて、レセプタクルを貯蔵容器から取外し可能にするような上記コネクタと、
レセプタクルを取外した後の貯蔵容器を密封するために、コネクタに受けられるように適合してなるキャップであって、密封した貯蔵容器を使い捨てにして、別の未使用の貯蔵容器と交換することができるような上記キャップと、
を備えていることを特徴とする携帯用の採尿装置。
【請求項２２】
レセプタクルの入口は男性のユーザの尿生殖器の領域を受けられるようなサイズになっていることを特徴とする請求項２１に記載の携帯用の採尿装置。
【請求項２３】
レセプタクルの入口は女性のユーザの尿生殖器の領域を受けられるようなサイズになっていることを特徴とする請求項２１に記載の携帯用の採尿装置。
【請求項２４】
貯蔵容器は可撓性のバッグを含んでいることを特徴とする請求項２１に記載の携帯用の採尿装置。
【請求項２５】
レセプタクルの出口は少なくともひとつの突起部を含み、コネクタは突起部を摺動式に受入れるサイズであるような少なくともひとつの溝部を含んでいて、レセプタクルをコネクタに固定するためにレセプタクルをコネクタに対して回転させると、突起部が溝部の端部へ移動することを特徴とする請求項２１に記載の携帯用の採尿装置。
【請求項２６】
キャップは少なくともひとつの突起部を含み、コネクタは突起部を摺動式に受入れるサイズであるような少なくともひとつの溝部を含んでいて、キャップをコネクタに固定するためにキャップをコネクタに対して回転させると、突起部が溝部の端部へ移動することを特徴とする請求項２１に記載の携帯用の採尿装置。
【請求項２７】
尿を集めて貯蔵するための携帯用の採尿装置のキットであって、このキットが、
女性ユーザの尿を集めるための女性用レセプタクルであって、女性用レセプタクルは入口と比較的小さい出口とを有してなる本体部分を含み、入口は女性ユーザの尿生殖器の領域を十分に受けられるサイズになっているような上記レセプタクルと、
男性ユーザの尿を集めるための男性用レセプタクルであって、男性用レセプタクルは入口と比較的小さい出口とを有してなる本体部分を含み、入口は男性ユーザの尿生殖器の領域を十分に受けられるサイズになっているような上記レセプタクルと、
尿を貯蔵するための１又は複数の使い捨ての貯蔵容器であって、それぞれの貯蔵容器は女性用及び男性用のレセプタクルの選択されたひとつから尿を受けるための入口を有しているような上記貯蔵容器と、
貯蔵容器の入口を受けると共に、選択させたレセプタクルの出口を着脱可能に受けるように取付けられて、選択されたレセプタクルの出口から貯蔵容器の入口へ尿が流れられるようにするコネクタであって、選択されたレセプタクルを貯蔵容器に着脱可能に結合させて、選択されたレセプタクルを貯蔵容器から取外し可能にするような上記コネクタと、
選択されたレセプタクルを取外した後の貯蔵容器を密封するために、コネクタに受けられるように適合してなるキャップであって、密封した貯蔵容器を使い捨てにして、別の未使用の貯蔵容器と交換することができるような上記キャップと、
を備えていることを特徴とする携帯用の採尿装置のキット。
【請求項２８】
１又は複数の貯蔵容器は可撓性のバッグを含んでいることを特徴とする請求項２７に記載の携帯用の採尿装置のキット。
【請求項２９】
それぞれのレセプタクルの出口は少なくともひとつの突起部を含み、コネクタは突起部を摺動式に受入れるサイズであるような少なくともひとつの溝部を含んでいて、選択されたレセプタクルをコネクタに固定するために選択されたレセプタクルをコネクタに対して回転させると、突起部が溝部の端部へ移動することを特徴とする請求項２７に記載の携帯用の採尿装置のキット。
【請求項３０】
キャップは少なくともひとつの突起部を含み、コネクタは突起部を摺動式に受入れるサイズであるような少なくともひとつの溝部を含んでいて、キャップをコネクタに固定するためにキャップをコネクタに対して回転させると、突起部が溝部の端部へ移動することを特徴とする請求項２６に記載の携帯用の採尿装置のキット。
【請求項３１】
コネクタは貯蔵容器に圧入されていて、ブラケットとブラケットによって取囲まれた漏斗とを含んでいて、漏斗は、選択されたレセプタクルの出口と係合するための入口部分と、ブラケットの下方へ突出して貯蔵容器の入口に受けられるように適合してなる出口部分とを有していることを特徴とする請求項２７に記載の携帯用の採尿装置のキット。
【請求項３２】
コネクタは貯蔵容器に溶着されていて、貯蔵容器に接触するための環状フランジを含んでおり、コネクタの遠位端は貯蔵容器の入口に受けられるように適合していることを特徴とする請求項２７に記載の携帯用の採尿装置のキット。
【請求項３３】
男性用レセプタクルの本体部分はハンドルを含んでいることを特徴とする請求項２７に記載の携帯用の採尿装置のキット。
【請求項３４】
１又は複数の貯蔵容器は尿を吸収するための粉末物質をそれぞれの内部に収容していることを特徴とする請求項２７に記載の携帯用の採尿装置のキット。
【請求項３５】
１又は複数のクレンジング布をさらに含んでいることを特徴とする請求項２７に記載の携帯用の採尿装置のキット。
【発明の詳細な説明】
【０００１】
【発明の属する技術分野】
本発明は、ユーザの尿を集めて貯蔵するための携帯用の採尿装置に関する。
【０００２】
【従来の技術】
携帯用の採尿装置は、トイレ施設が利用できなかったり付近に無い場合において、排尿のための場所をユーザに提供する。携帯用の採尿装置が役立つような多くの状況が存在する。例えば、多くの人々は尿の失禁に悩んでおり、このために彼らは迅速かつ予期せずにトイレ施設に行く必要がある。他の人々は、一時的に動けなかったり、介助無しにトイレへ行けないというようなその他の医療的な状態のために、携帯用の採尿装置の使用を必要とするだろう。さらに別の人々は、長い自動車旅行中や、トイレ施設に時間通りに到達できないような交通渋滞中になどの一般的な状況において、携帯用の採尿装置が有用であることを見い出す。キャンプや、ハイキング、川遊び、または、魚釣りなどのレジャー活動などのレジャー活動においてさえ、携帯用の採尿装置が求められる状況が生じる。
【０００３】
携帯用の採尿装置には、様々なサイズや構成がある。ある種の携帯用の採尿装置は完全に再利用できるようにデザインされている。そうした採尿装置は経済的であって環境にもやさしい。しかしながら、携帯用の採尿装置を再使用するためには、そのすべての部品を十分に清浄する必要があって、これは時間がかかると共に不愉快な仕事である。こうした問題を避けるために、完全に使い捨てであるような、他の携帯用の採尿装置がデザインされた。これらはより便利であるけれども、毎回の使用後に採尿装置の全体を交換するためのコストは高くつく。
【０００４】
妥協案として、いくつかの携帯用の採尿装置は再使用可能な部分と使い捨ての部分との双方を有するように構成されている。しかしながら、そうした携帯用の採尿装置はしばしば、使用のためのセットアップが困難であったり、収集した尿を後で廃棄するまで保持するための密封が困難であったりするという不都合に苦労する。
【０００５】
【発明が解決しようとする課題】
再使用可能であれ、使い捨てであれ、携帯用の採尿装置は男女の解剖学的な異なった要求に対応できるべきである。代表的には、採尿装置は一方の性のためだけにデザインされている。採尿装置を双方の性に用いようとするとき、尿の収集は一方の性か他方の性にとって最適ではない。さらに、多くの携帯用の採尿装置は大型でかさばって、漏れの防止が困難で、容易に携帯することができない。
【０００６】
【課題を解決するための手段】
従って、本発明の目的は、尿を集めるための組立が容易であって、尿の廃棄のための分解が容易であるような、改良された携帯用の採尿装置を提供することである。
本発明の他の目的は、尿を容易かつ安全に貯蔵して後で廃棄できるような、携帯用の採尿装置を提供することである。
本発明のさらに別の目的は、男女の双方のユーザに適合することができるような携帯用の採尿装置を提供することである。
【０００７】
従って、携帯用の採尿装置はユーザの尿を集めて貯蔵するように構成される。携帯用の採尿装置は、尿を集めるためのレセプタクルを含み、レセプタクルはに含まれる本体部分は、ユーザの尿生殖器の領域を十分に受けられるサイズになっているような入口と、出口とを有する。携帯用の採尿装置はさらに、尿を貯蔵するための貯蔵容器であって、レセプタクルから尿を受けるための入口を有しているような上記貯蔵容器を含む。貯蔵容器に取付けられたコネクタは、貯蔵容器の入口を受けると共に、レセプタクルの出口を着脱可能に受けるようになっていて、レセプタクルを貯蔵容器に着脱可能に結合させて、レセプタクルの出口から貯蔵容器の入口へ尿が流れられるようにしている。
【０００８】
本発明によれば、レセプタクルの入口は男性のユーザの尿生殖器の領域を受けられるようなサイズになっているか、または、女性のユーザの尿生殖器の領域を受けられるようなサイズになっている。好ましい実施形態においては、レセプタクルは再使用可能にデザインされていて、貯蔵容器は使い捨てにデザインされている。望ましくは、貯蔵容器は可撓性のバッグを含んでいて、これは尿を吸収するための粉末物質を内部に収容している。レセプタクルの本体部分は、使いやすさを改良するために、ハンドルが形成されて含まれている。
【０００９】
コネクタは、貯蔵容器に圧入されるか、または溶着される。レセプタクルを貯蔵容器に着脱可能に結合させて、レセプタクルを貯蔵容器から取外せるために、レセプタクルの出口は好ましくは少なくともひとつの突起部を含み、コネクタは突起部を摺動式に受入れるようなサイズである少なくともひとつの溝部を含む。レセプタクルをコネクタに固定するためにレセプタクルをコネクタに対して回転させると、突起部が溝部の端部へ移動する。
【００１０】
本発明の好ましい実施形態による携帯用の採尿装置は、レセプタクルを取外した後の貯蔵容器を密封するために、コネクタに受けられるように適合したキャップを含んでいる。密封された貯蔵容器は使い捨てにされて、別の未使用の貯蔵容器と交換することができるレセプタクルの出口と同様に、キャップは好ましくは少なくともひとつの突起部を含み、コネクタは突起部を摺動式に受入れるサイズであるような少なくともひとつの溝部を含んでいる。キャップをコネクタに固定するためにキャップをコネクタに対して回転させると、突起部は溝部の端部へ移動する。
【００１１】
本発明のひとつの実施形態では、レセプタクルの出口か、あるいは、キャップの遠位端は貯蔵容器の入口に受けられる。別の実施形態においては、コネクタは、第１のブラケット部材と第２のブラケット部材とを有してなるブラケットと、ブラケットによって取囲まれた漏斗とを含んでいる。第１のブラケット部材は突起部を含み、第２のブラケット部材は突起部を受入れて第１及び第２のブラケット部材を互いに固定するようなサイズになっている開口を含んでいる。漏斗は、レセプタクルの出口と係合するための入口部分と、ブラケットの下方へ突出して貯蔵容器の入口に受けられるように適合してなる出口部分とを有している。さらに、第１及び第２のブラケット部材は一組の内部フランジを含んでいて、これらの間に漏斗の入口部分が受入れられて、漏斗のブラケット部材に対する軸線方向の動きが禁止されている。
【００１２】
本発明によればさらに、尿を集めて貯蔵するための携帯用の採尿装置のキットが提供される。キットは、女性ユーザの尿を集めるための女性用レセプタクルを含み、女性用レセプタクルの本体部分は、女性ユーザの尿生殖器の領域を十分に受けられるサイズになっているような入口と、比較的小さい出口とを有している。また、キットは、男性ユーザの尿を集めるための男性用レセプタクルを含み、男性用レセプタクルの本体部分は、男性ユーザの尿生殖器の領域を十分に受けられるサイズになっているような入口と、比較的小さい出口とを有している。さらに、キットは、尿を貯蔵するための１又は複数の使い捨ての貯蔵容器であって、それぞれの貯蔵容器は女性用及び男性用のレセプタクルの選択されたひとつから尿を受けるための入口を有している。コネクタは貯蔵容器の入口に取付けられて、選択させたレセプタクルの出口を着脱可能に受けるように取付けられて、選択されたレセプタクルの出口から貯蔵容器の入口へ尿が流れられるようにしている。コネクタは選択されたレセプタクルを貯蔵容器に着脱可能に結合して、選択されたレセプタクルは貯蔵容器から取外すことができる。最後に、キットは、選択されたレセプタクルを取外した後の貯蔵容器を密封するために、コネクタに受けられるように適合してなるキャップを含む。こうして、密封された貯蔵容器は使い捨てにして、別の未使用の貯蔵容器と交換することができる。
【００１３】
本発明の上述の及び他の目的、特徴、及び利点については、添付図面を参照しつつ、本発明を実施するためのベストモードの以下の詳細な説明から容易に明らかになるであろう。
【００１４】
【発明の実施の形態】
図１〜図６を参照すると、本発明の第１の実施形態による、ユーザの尿を集めて貯蔵するための携帯用の採尿装置１０が示されている。携帯用の採尿装置１０は尿を集めるためのレセプタクル１２を含み、レセプタクル１２は、入口１６と、入口１６から間隔を隔てられてなる比較的小さい出口１８とを有している。図１〜図６に示した実施形態では、レセプタクルの入口１６と本体部分１４とは、尿の流れをレセプタクル１２へ導くべく、代表的な男性ユーザの尿生殖器の領域を十分に受けられるようなサイズ及び形状になつている。図示の如く、男性用レセプタクル１２の本体部分１４は略円筒形の形状であって、近位側は広がってレセプタクルの入口１６を形成し、これはユーザに向かって傾斜が付けられている。本体部分１４の遠位端は、比較的小さい直径であるようなレセプタクルの出口１８にて終端している。レセプタクルの出口１８はレセプタクルの入口１６に比べて小さいけれども、出口１８の直径は、レセプタクル１２に尿が滞留しないだけの十分な大きさにはなっている。
【００１５】
好ましい実施形態においては、レセプタクル１２は例えばポリプロピレンやその他の好適な材料などの熱可塑性材料からモールド成形されていて、滑らかで、耐久性があって、再使用可能なように作られている。携帯用の採尿装置１０は、ユーザが立姿勢でも座姿勢でも尿を集められるように配置することが有利である。図１〜図６に示すように、レセプタクルの本体部分１４は、使いやすいように、ハンドル２０を形成されて含んでいる。ハンドル２０は、ユーザの尿生殖器の領域に対して適切にレセプタクル１２を位置決めするのに必要な手の作業を低減させる。
【００１６】
本発明による携帯用の採尿装置１０は男性と女性の双方のユーザに適合することができる。図７〜図１２を参照すると、第２の実施形態による携帯用の採尿装置１０’は女性用のレセプタクル１２’を使用している。図７〜図１２において、携帯用の採尿装置１０’の参照符号は、図１〜図６の携帯用の採尿装置１０（男性用レセプタクル１２を有している）の参照符号と対応させて、「’」の記号を付している。男性用レセプタクル１２とは対象的に、女性用レセプタクル１２’の入口１６’は幅広い楕円形の形状を有していて、代表的な女性ユーザの尿生殖器の領域を十分に受入れるようになっている。本体部分１４’は、入口１６’から下方へ傾斜していて、ユーザの方向において小さい出口１８’へ向かっている。男性用レセプタクル１２と同様に、女性用レセプタクル１２’の出口１８’は尿が滞留しないように十分な直径を有している。後述の如く、男性用レセプタクル１２と女性用レセプタクル１２’とは、容易に交換することができて、男性と女性の双方のユーザから最適に尿を集めることができる。
【００１７】
再び図１〜図１２を参照すると、携帯用の採尿装置１０は、集めた尿を貯蔵するための貯蔵容器２２をさらに含んでいる。図示の好ましい実施形態では、貯蔵容器２２は可撓性の貯蔵バッグから構成されていて、これらはプラスチックや、ゴム、又は、その他の人間の尿を内部に収容することができるような好適な材料から構成されている。使用前には、貯蔵バッグ２２はコンパクトに保存できるように巻かれている。使用後には、貯蔵バッグ２２は使い捨てにすべくデザインされている。貯蔵バッグ２２は、漏れを生じないように防水に構成されていて、貯蔵バッグ２２を簡便に廃棄されるまで尿を貯蔵できるようになっている。さらなる漏れ防止として、貯蔵バッグ２２は好ましくは、尿を吸収するための粉末物質２１（図２６参照）を内部に含んでいる。より詳しくは、貯蔵バッグ２２のそれぞれは、好ましくは殺菌ゲル化粉末にて予め充填されていて、これは吸収ポリマーと急速脱臭の酵素と尿を濃縮ゲルに固化させる物質を含んでいる。
【００１８】
貯蔵バッグ２２は、中空の内部を備えた下側本体２４と、下側本体２４から上方へ延在してなり、レセプタクル１２及び１１２から尿を受けるための入口２６（図６参照）とを含んでいる。入口２６の両側にて、貯蔵バッグ２２は略平坦な継ぎ目領域２８を含んでいる。ひとつの実施形態では、コネクタ３０は継ぎ目領域２８に圧入されて、図示の如く、貯蔵バッグの入口２６を受入れて、例えば図１、図７、及び、図１３に示すようになっている。図１７〜図２３に示すように、また、図６、図１２、及び、図１７〜図１９の分解斜視図に良く示されているように、コネクタ３０は第１のブラケット部材３４と第２のブラケット部材３６とを有するようなブラケット３２を含んでいる。ブラケット部材３４及び３６のそれぞれは、組立時に入口２６を受けるようなサイズである中央の凹面部分３８と、略平坦な外部取付けパネル４０と４２とをそれぞれ含んでいて、第１のブラケット部材３４と第２のブラケット部材３６とを互いに固定する。より詳しくは、第１のブラケット部材３４の取付けパネル４０は、その内面から内方へ延出してなる突起部４４を含み、第２のブラケット部材３６の取付けパネル４２は、開口４６を含んでいて、この開口のサイズは突起部４４を受入れるようになっていて、第１のブラケット部材３４を第２のブラケット部材３６に固定するものである。
【００１９】
さらに、図６、図１２、及び、図１７〜図１９を参照すると、コネクタはさらに、ブラケット３２によって取囲まれて支持されてなる漏斗４８を含んでいる。漏斗４８は略円筒形であって、レセプタクルの出口１８及び１１８に都合良く係合するような入口部分５０を含んでいる。漏斗４８はさらに出口部分５２を含んでいて、これはブラケット３２の下方へ突出していて、貯蔵バッグの入口に受けられるように適合している。従って、貯蔵バッグの入口２６はブラケット部材３４及び３６との間に配置されて、漏斗４８は集めた尿を受けるために入口２６を開いた状態に維持するように働く。図示の如く、漏斗の入口部分５０は漏斗の出口部分５２に比べて大きい直径を有している。第１のブラケット部材３４と第２のブラケット部材３６とは一組の内部フランジないしリブ５４を含んでいて、これらの間に漏斗の入口部分５０が受入れられて、漏斗４８がブラケット部材３４及び３６に対して軸線方向に動くことが禁止されている。
【００２０】
図２４〜図２７に示すように、第２の実施形態によるコネクタ１３０は、振動溶接や超音波溶接、又はその他の適切なプラスチック結合技術によって、貯蔵バッグ２２に溶接されるように適合している。図２４〜図２７において、コネクタ１３０の参照符号は、図１〜２３のコネクタ３０の参照符号に“１”を付加して対応させている。コネクタ３０とは対象的に、コネクタ１３０は環状の形状に示されてなる、フランジ１６８を有するような一体的な円筒形部分として形成されているフランジ１６８は、貯蔵バッグ２２の首領域２３に接触して、首領域２３はフランジ１６８が溶接される対応するフランジを含んでいる。コネクタ１３０の遠位端１７０は貯蔵バッグの入口２６を受入れるように適合されている。
【００２１】
図２８〜図３１を参照すると、第３の実施形態によるコネクタ２３０が示されていて、コネクタ２３０についての参照符号は、図１〜図２３のコネクタ３０の参照符号に“２”を付加して対応させている。コネクタ１３０と同様に、コネクタ２３０は、一体的な円筒形の部品として形成されていて、貯蔵バッグ２２に溶接されるように適合している。より詳しくは、コネクタ２３０の遠位端２７２は、貯蔵バッグの入口２６に受入れられれてからこれに溶接されるように適合している。
【００２２】
図１８〜図２３に示すように、ブラケット部材３４及び３６の凹部３８のそれぞれは、略Ｌ字形の切込みないし溝部５６を形成されて有している。同様に、図２８〜図３１のコネクタ２３０は略Ｌ字形の溝部２５６を含み、図２４〜図２７のコネクタ１３０には切込みないし溝部１５６が形成されていて、コネクタ１３０の周囲の一部分に略螺旋状に延在している。それぞれの溝部５６、１５６、及び、２５６のサイズは、レセプタクルの出口１８及び１８’に形成された突起部５８及び１５８を摺動式に受入れるようになっている。組立に際しては、突起部５８及び５８’を溝部５６、１５６、及び２５６に整列させて、レセプタクル１２及び１２’を動かして、コネクタ３０、１３０、２３０に接触させるようにする。次に、レセプタクル１２及び１２’をコネクタ３０、１３０、及び、２３０に対する第１の方向に回転させて、コネクタ３０、１３０、及び、２３０に固定して、突起部５８及び５８’が溝部５６、１５６、及び、２５６の端部６０、１６０、及び、２６０へと移動させる。こうして、コネクタ３０、１３０、及び、２３０はレセプタクル１２及び１２’を着脱可能に貯蔵バッグ２２に結合することができて、尿は、レセプタクルの出口１８及び１８’から貯蔵容器の入口２６へ流れることができる。分解するには、レセプタクル１２及び１２’を貯蔵バッグ２２から取外すために、レセプタクル１２及び１２’をコネクタ３０、１３０、及び、２３０に対して反対方向に回転させて、突起部５８及び５８’を溝部の端部６０、１６０、及び、２６０から遠ざけて、上方向へ持上げる。従って、レセプタクル１２及び１２’と貯蔵バッグ２２とは、使用時には迅速に組立てられると共に、貯蔵や洗浄や別のレセプタクル１２及び１２’と交換するためには容易に分解することができる。
【００２３】
次に、図１３〜図２３を参照すると、キャップ６２はレセプタクル１２及び１２’を取外した後に貯蔵バッグ２２を密封すべく、コネクタ３０、１３０、及び、２３０に受入れられるように適合していて、爾後に廃棄すべく、尿を容易かつ安全に貯蔵バッグ２２の内部に貯蔵することができる。レセプタクルの出口１８及び１８’と同様に、キャップ６２は突起部６４を有していて、これらはコネクタの溝部５６、１５６、及び、２５６に摺動式に受入れられる。キャップ６２をコネクタ３０、１３０、及び、２３０に固定するために、キャップの突起部６４を溝部５６、１５６、及び、２５６に整列させて、キャップ６２をコネクタ３０、１３０、及び、２３０に接触させてから、キャップ６２をコネクタ３０、１３０、及び、２３０に対する第１の方向に回転させて、突起部６４を溝部の端部６０、１６０、及び、２６０へと動かして、キャップ６２をコネクタ３０、１３０、及び、２３０の内部にロックさせる。次に、密封された貯蔵バッグ２２を廃棄して、別の未使用の貯蔵容器２２をレセプタクル１２又は１２’に結合して、次の使用に備える。
【００２４】
特定の形態のレセプタクルの出口１８及び１１８、キャップ６２、及び、コネクタ３０、１３０、及び、２３０について図示して説明したけれども、本発明においては、他の形態であって、迅速かつ容易にかかる要素を組立及び分解できるようなものもその概念に含まれる。例えば、本発明の別の実施形態として、漏斗４８を省略して、レセプタクルの出口１８及び１１８、または、キャップ６２の遠位端を延在させて、貯蔵容器の入口２６に受入れるようにしても良い。
【００２５】
さらに、本発明によれば、男性用レセプタクル１２と女性用レセプタクル１１２と複数の貯蔵バッグ２２とキャップ６２とを含んでいるようなキットを提供することができる。キットはさらに、ユーザの衛生目的とレセプタクル１２及び１１２の清浄のための使い捨てのクレンジング布（図示せず）を含むことが好ましい。使用前には貯蔵バッグ２２を潰して巻取ることができるので、キットは男性用及び女性用のレセプタクルの大きさに比べて少ないスペース占有で済む。キットは、例えば自動車の小物入れなどの、小型の空間に保管できるようなキャリーバッグに納めて提供することができる。
【００２６】
本発明の実施形態について図示して説明したけれども、本発明はこれらの実施形態に限定されるものではない。むしろ、明細書に使用した用語は、限定的な意味ではなくて、本発明の精神及び範囲を逸脱すること無く、様々な変更を行なうことができることを理解されたい。
【図面の簡単な説明】
【図１】
図１は、本発明の第１の実施形態による携帯用の採尿装置であって、男性用レセプタクルを使用したものを示した斜視図である。
【図２】
図２ａは、図１の携帯用の採尿装置を示した前面立面図である。図２ｂは、図１の携帯用の採尿装置を示した背面立面図である。
【図３】
図３は、図１の携帯用の採尿装置を示した上平面図である。
【図４】
図４は、図１の携帯用の採尿装置を示した左側面図である。
【図５】
図５は、図１の携帯用の採尿装置を示した右側面図である。
【図６】
図６は、図１の携帯用の採尿装置を示した分解斜視図である。
【図７】
図７は、本発明の第２の実施形態による携帯用の採尿装置であって、女性用レセプタクルを使用したものを示した斜視図である。
【図８】
図８は、図７の携帯用の採尿装置を示した前面立面図である。
【図９】
図９は、図７の携帯用の採尿装置を示した上平面図である。
【図１０】
図１０は、図７の携帯用の採尿装置を示した左側面図である。
【図１１】
図１１は、図７の携帯用の採尿装置を示した右側面図である。
【図１２】
図１２は、図７の携帯用の採尿装置を示した分解斜視図である。
【図１３】
図１３は、本発明の第３の実施形態による携帯用の採尿装置であって、貯蔵容器を密封するためのキャップを使用したものを示した斜視図である。
【図１４】
図１４は、図１３の携帯用の採尿装置を示した前面立面図である。
【図１５】
図１５は、図１３の携帯用の採尿装置を示した上平面図である。
【図１６】
図１６は、図１３の携帯用の採尿装置を示した左側面図である。
【図１７】
図１７は、図１３の携帯用の採尿装置を示した分解斜視図である。
【図１８】
図１８は、本発明によるコネクタとキャップとを示した分解斜視図である。
【図１９】
図１９は、コネクタとキャップとを示した分解前面図である。
【図２０】
図２０は、コネクタとキャップとを組立てて示した斜視図である。
【図２１】
図２１は、コネクタとキャップとを組立てて示した右側面図である。
【図２２】
図２２は、コネクタとキャップとを組立てて示した左側面図である。
【図２３】
図２３は、コネクタとキャップとを組立てて示した上平面図である。
【図２４】
図２４は、本発明の第２の実施形態によるコネクタを示した斜視図である。
【図２５】
図２５は、男性用レセプタクルと図２４のコネクタとを使用してなる携帯用の採尿装置を示した斜視図である。
【図２６】
図２６は、図２５の携帯用の採尿装置を示した前面立面図である。
【図２７】
図２７は、図２５の携帯用の採尿装置を示した背面立面図である。
【図２８】
図２８は、本発明の第３の実施形態によるコネクタを示した斜視図である。
【図２９】
図２９は、男性用レセプタクルと図２８のコネクタとを使用してなる携帯用の採尿装置を示した斜視図である。
【図３０】
図３０は、図２９の携帯用の採尿装置を示した前面立面図である。
【図３１】
図３１は、図２９の携帯用の採尿装置を示した背面立面図である。
【国際公開パンフレット】
2004509683.tif 000003
2004509683.tif 000004
2004509683.tif 000005
2004509683.tif 000006
2004509683.tif 000007
2004509683.tif 000008
2004509683.tif 000009
2004509683.tif 000010
2004509683.tif 000011
2004509683.tif 000012
2004509683.tif 000013
2004509683.tif 000014
2004509683.tif 000015
2004509683.tif 000016
2004509683.tif 000017
2004509683.tif 000018
2004509683.tif 000019
2004509683.tif 000020
2004509683.tif 000021
2004509683.tif 000022
2004509683.tif 000023
2004509683.tif 000024
2004509683.tif 000025
2004509683.tif 000026
2004509683.tif 000027
2004509683.tif 000028
2004509683.tif 000029
2004509683.tif 000030
2004509683.tif 000031
2004509683.tif 000032
2004509683.tif 000033
2004509683.tif 000034
2004509683.tif 000035
2004509683.tif 000036
2004509683.tif 000037
2004509683.tif 000038
2004509683.tif 000039
2004509683.tif 000040
2004509683.tif 000041
2004509683.tif 000042
2004509683.tif 000043
2004509683.tif 000044
【国際調査報告】
2004509683.tif 000045